(57)【要約】【課題】  放電ランプの始動時に高温になったコイル部の熱が電極軸部に直に伝わって電極軸部の温度が過剰に上昇することを防止して、電極軸部に曲がりが生じることを防止する。【解決手段】  発光管と、前記発光管の両端に形成された封止部と、前記封止部で保持されて前記発光管内に互いに離間して対向して配置された一対の電極と、前記電極の中心軸に沿って伸びるようにして前記電極に装着されたコイル部と、を備えたものにおいて、  前記電極は、電極軸部と、前記電極軸部の先端に一体的に形成された前記電極軸部よりも太い電極本体部と、で構成され、前記コイル部が、前記電極軸部から離間した状態で前記電極軸部の側面を包囲するように配置されて、前記電極本体部のみに固定されている。【選択図】  図２
2010113881.tif 000002
【特許請求の範囲】
【請求項１】
発光管と、前記発光管の両端に形成された封止部と、前記封止部で保持されて前記発光管内に互いに離間して対向して配置された一対の電極と、前記電極の中心軸に沿って伸びるようにして前記電極に装着されたコイル部と、を備えた放電ランプにおいて、
前記電極は、電極軸部と、前記電極軸部の先端に一体的に形成された前記電極軸部よりも太い電極本体部と、で構成され、
前記コイル部が、前記電極軸部から離間した状態で前記電極軸部の側面を包囲するように配置されて、前記電極本体部のみに固定されたことを特徴とする放電ランプ。
【請求項２】
前記コイル部の先端部が、前記電極本体部の後方側に形成された平坦面に固定されていることを特徴とする請求項１記載の放電ランプ。
【請求項３】
前記コイル部が、前記電極軸部から離間して前記電極軸部の側面を包囲するように配置された内側コイル部と、当該内側コイル部の外側を包囲するように配置された外側コイル部とで構成されることを特徴とする請求項１記載の放電ランプ。
【発明の詳細な説明】
【技術分野】
【０００１】
この発明は、ショートアーク型放電ランプに関する。例えば、液晶ディスプレイ装置やＤＭＤ（デジタルミラーデバイス）を用いたＤＬＰ（デジタルライトプロセッサ）などのプロジェクター装置用の光源であるショートアーク型放電ランプに関する。
【背景技術】
【０００２】
データプロジェクタ等の投射用光源には、高照度、高輝度、高演色が求められると共に、光源自体の小型化が望まれている。これらの要望に応えるために、データプロジェクタ用の光源として、発光管内に水銀を封入した、或いは、種々の発光用金属のハロゲン化物を封入したショートアーク型放電ランプが適用されている。
【０００３】
図９は、従来の放電ランプの全体の構成を示し、図１０は、図９の放電ランプにおける電極の断面図である。
放電ランプは、発光管９０、封止部９１、９２、電極９３、９４、コイル部９５、９６、金属箔９７、９８、外部導線９９、１００から構成される。発光管９０および封止部９１、９２には石英ガラス、電極９３、９４にはタングステン、コイル部９５、９６にも同じくタングステン、金属箔９７、９８にはモリブデン箔、外部導線９９、１００にはモリブデンが用いられる。発光管９０内には、放電媒体として水銀、ハロゲン化金属などの発光金属が封入され、さらに、始動性を改善するためにアルゴンなどの希ガスが封入される。
【０００４】
上記の放電ランプは、外部導線９９、１００間に所定の電圧を印加することにより、一対の電極９３、９４間にアーク放電が発生し、水銀やハロゲン化金属に固有の発光が得られる。この種の放電ランプは、電極間距離が極めて短く、始動時に大電流が流れるため、電極変形や、電極構成物質の蒸発による発光管の黒化が発生し易く、長寿命化が困難であった。これに対して、電極構造を改良することによりランプ寿命を改善する試みがなされている。
【０００５】
例えば、特許文献１に開示された放電ランプは、電極軸部９３１と、それよりも太径で電極軸部９３１と一体的に形成された放電部９３２とで構成された電極９３を備えている。電極９３は、円柱状の電極材料を削り出すこと等によって容易に形成される。放電部９３２の後方には、電極軸部９３１を取り巻くようにしてコイルが装着されている。コイル９５は、純タングステンからなり、例えばスポット溶接等により電極軸部９３１に固定されている。電極９４も、電極９３と同様に電極軸部９４１と放電部９４２とで構成されている。
【０００６】
同文献記載の技術によれば、太径の放電部９３２の熱容量が大きく、放電部９３２の熱伝導性が良いので、比較的大きな電流が流れた場合であっても、電極９３の過剰昇温を抑制する効果がある。また、コイル９５は、電極軸部９３１の放熱性を高めて過剰昇温を抑制し、電極軸部９３１の細りや折れを防止する効果がある、とされている。
【０００７】
【特許文献１】特開２０００−２３１９０３号
【発明の開示】
【発明が解決しようとする課題】
【０００８】
この種のショートアーク型放電ランプは、始動時において、コイル部９５、９６がグロー放電によって加熱されてコイル部９５、９６の温度上昇が速やかに行われることにより、グロー放電からアーク放電に速やかに移行する。しかし、図１０の電極は、このグロー放電とアーク放電によって加熱され高温状態になったコイル部９５、９６の熱が電極軸部９３１、９４１に直に伝わって電極軸部９３１、９４１の温度を過剰に上昇させることにより、電極軸部９３１、９４１に曲がりが生じるという問題があった。
【０００９】
本発明は、以上のような事情に鑑みてなされたものであって、その目的は、放電ランプの始動時に高温になったコイル部の熱が電極軸部に直に伝わって電極軸部の温度が過剰に上昇することを防止して、電極軸部に曲がりが生じないようにすることにある。
【課題を解決するための手段】
【００１０】
請求項１記載の放電ランプは、発光管と、前記発光管の両端に形成された封止部と、前記封止部で保持されて前記発光管内に互いに離間して対向して配置された一対の電極と、前記電極の中心軸に沿って伸びるようにして前記電極に装着されたコイル部と、を備えた放電ランプにおいて、
前記電極は、電極軸部と、前記電極軸部の先端に一体的に形成された前記電極軸部よりも太い電極本体部と、で構成され、前記コイル部が、前記電極軸部から離間した状態で前記電極軸部の側面を包囲するように配置されて、前記電極本体部のみに固定された、というものである。
【００１１】
請求項２記載の放電ランプは、請求項１記載の放電ランプにおいて、前記コイル部の先端部が、前記電極本体部の後方側に形成された平坦面に固定されている、というものである。
【００１２】
請求項３記載の放電ランプは、請求項１記載の放電ランプにおいて、前記コイル部が、前記電極軸部から離間して前記電極軸部の側面を包囲するように配置された内側コイル部と、当該内側コイル部の外側を包囲するように配置された外側コイル部とで構成される、というものである。
【発明の効果】
【００１３】
本発明の放電ランプは、電極軸部と、前記電極軸部の先端に一体的に形成された前記電極軸部よりも太い電極本体部とで構成される電極を備え、前記コイル部が前記電極軸部から離間した状態で前記電極軸部の側面を包囲するように配置されて前記電極本体部のみに固定されている。
そのため、放電ランプの始動時においてコイル部が加熱された高温状態になったときに、コイル部の熱が電極軸部よりも太い電極本体部に伝えられてコイル部の熱が電極軸部に直に伝わることがないため、電極軸部の温度上昇を抑制することができる。したがって、電極軸部に曲がりが生じることを確実に防止することができる。
【発明を実施するための最良の形態】
【００１４】
図１は、本発明の放電ランプの全体の構成を示す。図２は、本発明の放電ランプにおける電極の実施例の断面図である。図２（ａ）は電極の正面図、図２（ｂ）は電極の長手方向の断面図を示す。
図１に示すように、放電ランプは、発光管１０、封止部１１、１２、電極１３、１４、コイル部１５、１６、金属箔１７、１８、外部リード１９、２０を備える。発光管１０内の放電空間１０Ａには、放電媒体として水銀が０．１５ｍｇ／ｍｍ３以上封入され、始動性を改善するためにアルゴンガス等の希ガスが定常時において１３ｋＰａ（パスカル）の圧力となるように封入され、さらに、発光管１０内の放電空間１０Ａにおいてハロゲンサイクルを行うための例えば臭素などのハロゲンガスが、定常時において１０−６〜１０−２μｍｏｌ／ｍｍ３となるように封入されている。なお、放電空間１０Ａには、放電媒体としてハロゲン化金属を封入しても良い。
【００１５】
発光管１０は、概ね球状に形成されており、内部に球形または楕円形の放電空間１０Ａが形成されている。発光管１０は、放電空間１０Ａから放出される光を透過させ、尚且つ、放電ランプの点灯時に高温となっても熱変形等が生じない必要があるため、例えば石英ガラス等で構成されている。発光管１０の夫々の端部には、棒状の封止部１１、１２が一体的に連続して形成される。封止部１１、１２は、それぞれモリブデンからなる金属箔１７、１８が埋設されることによって、気密に封止されている。電極１３、１４は、一端がそれぞれ金属箔１７、１８に接続され、他端が発光管１０内の放電空間１０Ａに臨出している。電極１３、１４は、例えば０．８〜１．５ｍｍの距離を隔てて対向して配置される。
【００１６】
電極１３は、円柱状の電極軸部１３１と、それよりも太く電極軸部１３１と一体的に形成された電極本体部１３２とで構成される。電極軸部１３１は、外径が０．４ｍｍ、全長が５ｍｍ、電極本体部１３２は、最大外径が２ｍｍ、全長が１．５ｍｍである。電極軸部１３１の外径は、電極本体部１３２の最大外径部における外径に対して２０〜７０％の範囲とされていることが望ましい。詳しくは後述するが、電極軸部１３１の外径がこの範囲を満たすことにより、電極本体部１３２から電極軸部１３１への熱伝達が効率良く阻害され、電極軸部１３１の温度上昇を抑制することができる。なお、電極１３は、純度が４Ｎ以上の円柱状のタングステン材料を切削することによって所望の形状に形成される。これにより、放電空間１０Ａに突出した電極軸部１３１および電極本体部１３２から放電空間１０Ａ内に放出される不純物量を低減することができる。また、セラミック等で構成される成形型を使用することにより形成しても良い。電極１４についても同様に、円柱状の電極軸部１４１と、それよりも太く電極軸部１４１と一体的に形成された電極本体部１４２とで構成される。
【００１７】
図２に示すように、電極本体部１３２は、根本側から順に、コイル被装着部１３３、縮径部１３４、１３５、１３６を備えている。コイル被装着部１３３は、電極軸部１３１に直交する方向に広がる、コイル部を固定するための平坦面１３３Ａを有した円柱状に形成されている。コイル被装着部１３３の先端側には、それぞれ電極先端側に向かうに従い徐々に縮径する円錐台状の縮径部１３４、１３５、１３６が形成されている。電極本体部１３２をこのような構成とすることにより、電極本体部１３２の容積を十分に確保するとともに、一対の電極１３，１４間に形成される放電アークから出射される光が電極本体部１３２によって遮られることがなく、放電ランプの光出射効率が高いものとなる。電極本体部１３２の最先端に形成された縮径部１３６は、対向する電極１３，１４間で形成される放電アークを保持する。電極１４の電極本体部についても同様に、根本側から順に、円柱状のコイル被装着部と、縮径部とを備える。
【００１８】
コイル部１５は、例えばφ０．２ｍｍのタングステン線を螺旋状に巻回することにより、コイル全長が１ｍｍ、コイル外径が２ｍｍ、コイル内径が１．６ｍｍ、各々の巻線間のピッチが０．２ｍｍとなるように形成されたものである。図２の例では、コイル部１５の外径が電極本体部１３２の最大外径部（コイル被装着部１３３）の外径と概ね同じである。また、コイル部１５は、純度が４Ｎ以上のタングステン線で構成される。コイル部１５を高純度のタングステン線で構成することにより、発光管１０の放電空間１０Ａに露出するコイル部１５から放出される不純物量が低減される。コイル部１５は、電極軸部１３１の側面を包囲するとともに、電極軸部１３１から所定距離を隔てて電極軸部１３１と平行に伸びる姿勢で配置され、その先端面がコイル被装着部１３３における平坦面１３３Ａに、例えばスポット溶接等によって固定される。
また、コイル部１５は、図２の例では、コイル部１５の各々の巻回部に接する平面が円柱状のコイル被装着部１３３と同一平面となるように配置される。コイル部１５は、互いに離間して電極軸部１３１と平行に伸びる２つの仮想平面で電極本体部１３２の最大外径部（コイル被装着部１３３）を挟んだとき、当該２つの仮想平面で挟まれた領域の内側に配置されていても良い。このようにコイル部１５を配置すれば、電極軸部１３１とコイル部１５との合計幅を小さくすることができるという利点があり、特に発光管１０の内容積が小さい場合に有益である。例えば、電極軸部１３１がφ０．５ｍｍであり、コイル部１５を構成するタングステン線がφ０．２ｍｍである場合は、電極軸部１３１とコイル部１５との合計幅が０．９ｍｍとなる。
コイル部１５は、コイル被装着部１３３の平坦面１３３Ａのみに固定されて所謂片持ちの状態であるが、コイル部１５の剛性によって電極軸部１３１と接触することがない。コイル部１５と電極軸部１３１との離間距離は、１０μｍ〜１ｍｍの範囲であることが好ましい。コイル部１６は、コイル部１５と同様にして、電極１４の電極軸部１４１から所定距離を隔てて配置されて電極本体部１４２に固定されている。
【００１９】
なお、コイル部１５における全ての巻線部１５１が電極軸部１３１から離間している必要はなく、巻線部１５１の一部が電極軸部１３１に接触していても良い。すなわち、コイル部１５と電極軸部１３１とが離間するという意味は、図２のようにコイル部１５における全ての巻線部１５１が電極軸部１３１から離間しているものと、図示はしないがコイル部１５における巻線部１５１の少なくとも一部が電極軸部１３１から離間しているものとの双方を含む。
【００２０】
外部リード１９，２０は、一端がそれぞれ金属箔１７，１８に接続され、他端がそれぞれの封止部１１，１２から外部に突出している。外部リード１９，２０は、金属箔１７，１８と同様にモリブデンで構成される。外部リード１９，２０に所定の電圧を印加することにより、放電空間１０Ａ内に対向配置された電極１３，１４間にアーク放電が発生し、放電媒体である水銀が蒸発して所定の水銀蒸気圧となることにより、水銀固有の波長の光が放出される。外部リード１９，２０間に印加される電圧は、例えば５０〜１５０Ｖ（ボルト）の交流電圧であり、ランプ電流は１〜７Ａ（アンペア）であり、点灯時の放電空間１０Ａにおける水銀蒸気圧は１５０気圧以上である。
【００２１】
上記の放電ランプの始動時の動作について説明する。放電の第１段階は、電極１３，１４に付着した水銀を起点とする水銀アーク放電である。この水銀アーク放電は、電極に付着した水銀が電極から吹き飛ばされるまで持続する。ただし、水銀アーク放電では電極は熱電子放出に十分な温度まで加熱されない。
放電の第２段階は、グロー放電である。このグロー放電時には、希ガス及び水銀の陽イオンの衝突により電極が加熱され、特に電極１３に装着されたコイル部１５の表面の凹凸が加熱され易いため、コイル部１５が高温状態となる。電極本体部１３２がコイル部１５からの熱伝達を受けて熱電子を放出することが可能な温度にまで加熱されると、電極本体部１３２に形成された縮径部１３６を起点とするアーク放電に移行する。
【００２２】
本発明の放電ランプは、グロー放電時にコイル部１５が加熱されてコイル部１５が高温になったとしても、コイル部１５の熱が直に電極本体部１３２に伝わるため、電極軸部１３１がコイル部１５からの熱伝達により直に加熱されることが無い。言い換えると、コイル部１５と電極軸部１３１とが離間していることにより、コイル部１５から電極軸部１３１に至るまでの熱の伝達経路長が長くなる。しかも、電極軸部１３１が電極本体部１３２に比べて細いため、電極本体部１３２と電極軸部１３１との境界部にヒートダムが形成される。以上により、コイル部１５から電極軸部１３１への熱伝達が抑制されるため、電極軸部１３１の温度が過剰に高くなることがない。したがって、本発明の放電ランプは、電極軸部１３１に曲がりが生じることを確実に防止することができる。
【００２３】
図３は、本発明の放電ランプにおける電極の他の実施例の断面図である。図３に示す電極１３は、電極軸部１３１と、電極本体部１３２と、で構成される。電極本体部１３２は、コイル被装着部１３３と、縮径部１３４、１３５、１３６とを備えている。図３の電極は、コイル部１５と電極本体部１３２との接続構造を除けば、図２の電極と同じ構造である。図３のコイル部１５の外径は、電極本体部１３２の外径よりも大きい。図３の電極１３は、コイル部１５の先端の巻線部１５Ａが、円柱状のコイル被装着部１３３の径方向の側面１３３Ｂを包囲するように配置されるとともに、例えばスポット溶接等によりコイル被装着部１３３の側面１３３Ｂに固定されている。
【００２４】
図４は、本発明の放電ランプにおける電極の他の実施例の断面図である。図４に示す電極１３は、電極軸部１３１と、電極本体部１３２と、で構成されている。電極本体部１３２は、コイル被装着部１３３と、縮径部１３４、１３５、１３６と、を備えている。図４の電極は、コイル部１５と電極本体部１３２との接続構造を除けば、図２の電極と同じ構造である。図４の電極は、コイル部１５の最先端の巻線部１５Ａが、円柱状のコイル被装着部１３３の径方向の側面１３３Ｂを包囲するように配置されるとともに、例えばスポット溶接等により側面１３３Ｂに固定され、尚且つ、巻線部１５Ａに続く巻線部１５Ｂが、コイル被装着部１３３の平坦面１３３Ａに巻線部１５Ａと同様にしてスポット溶接により固定されている。
【００２５】
図５は、本発明の放電ランプにおける電極の他の実施例の断面図である。図５（ａ）は電極の正面図、図５（ｂ）は電極の長手方向の断面図である。図５の電極５３は、電極軸部５３１と、電極本体部５３２とで構成されている。電極軸部５３１は、電極本体部５３２側から順に、第１電極軸部５３１Ａと、電極本体部５３２から遠ざかるに従い徐々に外径が縮小する縮径部５３１Ｂと、第１電極軸部５３１Ａよりも外径の細い第２電極軸部５３１Ｃと、で構成されている。電極本体部５３２は、図２に示すものと同様に、コイル被装着部５３３と、縮径部５３４、５３５、５３６と、を備えている。コイル被装着部５３３は、電極軸部５３１に直交する方向に広がる、コイル部１５を固定するための平坦面５３３Ａを備えた円柱状に形成されている。コイル部１５は、電極軸部５３１の側面を包囲して電極軸部５３１から所定距離を隔てて電極軸部５３１と平行に伸びる姿勢で配置され、その先端部がコイル被装着部５３３の平坦面５３３Ａに例えばスポット溶接等によって固定される。図５の例では、コイル部１５は、コイル部１５の各々の巻線部に接する平面が円柱状のコイル被装着部５３３と同一平面となっている。コイル部１５は、図２の電極と同様に、互いに離間して電極軸部５３１と平行に伸びる２つの仮想平面で電極本体部５３２の最大外径部（コイル被装着部５３３）を挟んだとき、当該２つの仮想平面で挟まれた領域の内側に配置されることが好ましい。なお、図示は省略するが、図５の電極において、図３の電極と同様に、コイル装着部５３３の径方向の側面を包囲するようにコイル部１５を配置して、コイル装着部５３３の側面にコイル部１５をスポット溶接等により固定しても良い。
【００２６】
図５の電極は、電極本体部５３２と第１電極軸部５３１Ａとの境界部分と、第１電極軸部５３１Ａと縮径部５３１Ｂとの境界部分とのそれぞれにヒートダムが形成される。したがって、図５の実施例の電極は、２箇所のヒートダムが形成されて、コイル部１５から第２電極軸部５３１Ｃに熱が伝達され難くなることから、更に第２電極軸部５３１Ｃの温度上昇を抑制することができる。
【００２７】
図６は、本発明の放電ランプにおける電極の他の実施例の断面図である。図６の電極６３は、電極軸部６３１と、それよりも太く電極軸部６３１と一体的に形成された電極本体部６３２と、で構成されている。電極本体部６３２は、根本側から順に、コイル被装着部６３３と、縮径部６３４、６３５、６３６とを備えている。コイル被装着部６３３は、電極軸部６３１に直交する方向に広がる円柱状に形成されている。コイル被装着部６３３の先端側には、それぞれ電極先端側に向かうに従い徐々に縮径する円錐台状の縮径部６３４、６３５、６３６が形成されている。
【００２８】
コイル部１５は、コイル被装着部６３３の側面を包囲するとともに、コイル被装着部６３３の大部分から所定の距離を隔てて電極軸部６３１と平行に伸びる姿勢で配置され、最先端側の巻線１５Ａのみがコイル被装着部６３３の先端部の側面に、例えばスポット溶接等により固定される。なお、コイル部１５の先端側における複数の巻線部がコイル被装着部６３３の側面に溶接されていても良い。図６の電極６３は、コイル被装着部６３３と電極軸部６３１との境界部分にヒートダムが形成され、コイル被装着部６３３から電極軸部６３１への熱伝達が阻害されるため、電極軸部６３１の温度上昇が抑制される。
【００２９】
図７は、本発明の放電ランプにおける電極の他の実施例の断面図である。図７の電極７３は、電極軸部１３１と、電極本体部１３２と、で構成されている。電極本体部１３２は、コイル被装着部１３３と、縮径部１３４、１３５、１３６と、を備えている。コイル被装着部１３３は、コイル部７５を固定するための平坦面１３３Ａを有した円柱状に形成されている。図７の電極は、コイル部７５の構造を除けば図２の電極と同じ構造である。
コイル部７５は、内側コイル７５１と、内側コイル７５１の外側に巻回された外側コイル７５２とで構成される２層巻構造である。内側コイル７５１は、電極軸部１３１の側面を包囲するとともに、電極軸部１３１から所定の距離を隔てて電極軸部１３１と平行に伸びる姿勢で配置され、先端側の巻線７５１Ａがコイル被装着部１３３の平坦面１３３Ａに、例えばスポット溶接等により固定される。外側コイル７５２は、内側コイル７５１を包囲するように配置され、先端側の巻線７５２Ａが内側コイル７５１と同様にして平坦面１３３Ａに溶接されている。ただし、内側コイル７５１、外側コイル７５２の何れか一方のみを平坦面１３３Ａに固定しても良い。コイル部７５の２層巻構造を形成するにあたっては、１本のタングステン線を重畳して巻回すること、或いは、独立した２本のタングステン線を個別に巻回すこと、の何れの方法を採用しても良い。なお、図７のコイル部７５は、２層巻であるが、３層巻以上としても良い。
【００３０】
図８は、本発明の放電ランプにおける電極の他の実施例の断面図である。図８の電極８３は、電極軸部５３１と、電極本体部５３２とで構成されている。電極軸部５３１は、電極本体部５３２側から順に、第１電極軸部５３１Ａと、電極本体部５３２から遠ざかるに従い徐々に外径が縮小する縮径部５３１Ｂと、第１電極軸部５３１Ａよりも外径の細い第２電極軸部５３１Ｃと、で構成されている。電極本体部５３２は、図５に示すものと同様に、コイル被装着部５３３と、縮径部５３４、５３５、５３６と、を備えている。コイル被装着部５３３は、電極軸部５３１に直交する方向に広がる、コイル部１５を固定するための平坦面５３３Ａを備える。図８の電極８３は、コイル部８５の構造を除けば図５の電極と同じである。
コイル部８５は、内側コイル８５１と、内側コイル８５１の外側に巻回された外側コイル８５２とで構成される２層巻構造である。内側コイル８５１は、第１電極軸部５３１Ａの側面を包囲するとともに、第１電極軸部５３１Ａから所定の距離を隔てて第１電極軸部５３１Ａと平行に伸びる姿勢で配置され、先端側の巻線８５１Ａがコイル被装着部５３３の平坦面５３３Ａに、例えばスポット溶接等により固定される。外側コイル８５２は、内側コイル８５１を包囲するように配置され、先端側の巻線８５２Ａが内側コイル８５１と同様にして平坦面５３３Ａに溶接されている。
【００３１】
以上のように、本発明の放電ランプは、始動初期のグロー放電とアーク放電時にコイル部が加熱されて高温になったとしても、コイル部が電極本体部のみに装着され、電極軸部から離間しているため、コイル部の熱が電極軸部に直に伝わることがないため、電極軸部の温度上昇を抑制することができ、したがって、電極軸部に曲がりが生じることを確実に防止することができる、という効果がある。
【図面の簡単な説明】
【００３２】
【図１】本発明の放電ランプの全体の構成を示す。
【図２】本発明の放電ランプにおける電極の実施例の断面図を示す。
【図３】本発明の放電ランプにおける電極の他の実施例の断面図を示す。
【図４】本発明の放電ランプにおける電極の他の実施例の断面図を示す。
【図５】本発明の放電ランプにおける電極の他の実施例の断面図を示す。
【図６】本発明の放電ランプにおける電極の他の実施例の断面図を示す。
【図７】本発明の放電ランプにおける電極の他の実施例の断面図を示す。
【図８】本発明の放電ランプにおける電極の他の実施例の断面図を示す。
【図９】従来の放電ランプの全体の構成を示す。
【図１０】従来の放電ランプにおける電極の実施例の断面図を示す。
【符号の説明】
【００３３】
１０          発光管
１１，１２    封止部
１３，１４    電極
１３１        電極軸部
１３２        電極本体部
１３３        コイル被装着部
１３４，１３５，１３６    縮径部
１５，１６    コイル部
１７，１８    金属箔
１９，２０    外部リード
【図１】
2010113881.tif 000003
【図２】
2010113881.tif 000004
【図３】
2010113881.tif 000005
【図４】
2010113881.tif 000006
【図５】
2010113881.tif 000007
【図６】
2010113881.tif 000008
【図７】
2010113881.tif 000009
【図８】
2010113881.tif 000010
【図９】
2010113881.tif 000011
【図１０】
2010113881.tif 000012